(57)【要約】【課題】  綴じ原稿を精度良く検知することができる原稿給送装置を提供する。【解決手段】  原稿給送装置２０は、原稿が積載される原稿積載部２１に積載された原稿の浮きの進行方向を判断する浮き進行方向判断部Ｓ１を有する。浮き進行方向判断部Ｓ１に於いて、給送動作中に発生した原稿の浮きが給送方向の下流から上流に移動していると判断した場合に、綴じ原稿であると判断する。【選択図】  図２
2020090388.tif 000002
【特許請求の範囲】
【請求項１】
原稿が積載される原稿積載部と、
前記原稿積載部に積載された原稿を画像読取位置へ給送する給送動作を行う原稿給送部と、
前記原稿給送部が前記給送動作を行っているときに該原稿の浮きが原稿の給送方向における下流側から上流側へ移動することを検知できる検知部と、
前記給送方向における下流側から上流側へ該浮きが移動したことを前記検知部が検知したことに基づいて前記給送動作を停止させる制御手段と、を有することを特徴とする原稿給送装置。
【請求項２】
原稿が積載される原稿積載部と、
前記原稿積載部に積載された原稿を画像読取位置へ給送する給送動作を行う原稿給送部と、
前記原稿給送部が前記給送動作を行っているときに該原稿の浮きが原稿の給送方向における上流側から下流側へ移動することを検知できる検知部と、
前記給送方向における下流側から上流側へ該浮きが移動したことを前記検知部が検知したことに基づいて積載された原稿が綴じ原稿であると判断する制御手段と、を有することを特徴とする原稿給送装置。
【請求項３】
前記検知部は、移動部材と、原稿の給送方向における上流側から下流側へ移動する該浮きに押されることによる前記移動部材の移動を検知できるセンサと、を有し、
前記給送方向における下流側から上流側へ移動する該浮きに押されることによる前記移動部材の移動を前記センサが検知したことに基づいて前記制御手段は前記給送動作を停止させることを特徴とする請求項１または２に記載の原稿給送装置。
【請求項４】
前記移動部材の移動は回転であって、
前記給送動作を行っているときに前記給送方向における下流側から上流側へ移動する該浮きに押されて前記移動部材が回転したことを前記検知部が検知したら、前記制御手段は前記給送動作を停止させることを特徴とする請求項３に記載の原稿給送装置。
【請求項５】
前記給送方向における下流側から上流側へ移動する該浮きに押されたときに前記移動部材が回転する方向とは反対の方向に回転できるように前記移動部材は構成されていることを特徴とする請求項４に記載の原稿給送装置。
【請求項６】
原稿が積載される原稿積載部と、
前記原稿積載部に積載された原稿を画像読取位置へ給送する原稿給送部と、
前記原稿積載部に積載された原稿の上方に配置され、原稿に浮きがあった場合に該浮きの進行方向が給送方向における上流側から下流側か下流側から上流側かを判断する浮き進行方向判断部と、を有し、
前記浮き進行方向判断部において下流側から上流側と判断された場合に、積載された原稿が綴じ原稿であると判断することを特徴とする原稿給送装置。
【請求項７】
前記浮き進行方向判断部は、給送方向の上流側と下流側との両方に移動する事が可能な移動部材を有し、
前記移動部材が上流側に移動した場合に、積載された原稿が綴じ原稿であると判断することを特徴とする請求項６に記載の原稿給送装置。
【発明の詳細な説明】
【技術分野】
【０００１】
本発明は、原稿を給送する原稿給送装置に関する。
【背景技術】
【０００２】
プリンタ本体の上部に配置された、原稿の画像を読み取る画像読取装置が知られている。画像読取装置は、原稿台に載置された原稿を１枚ずつに分離しつつ給送するＡＤＦ（Ａｕｔｏ  Ｄｏｃｕｍｅｎｔ  Ｆｅｅｄｅｒ）を有している。原稿給送装置としてのＡＤＦは、ステープルされた原稿や糊付けされた原稿等の、所謂「綴じ原稿」を分離して給送することができず、原稿を分離するＡＤＦ内の機構において、原稿が皺になったり破れたりすることがある。また、綴じ原稿がＡＤＦにおいて分離されずにそのまま給送されてしまうと、搬送路上でジャムとなる虞がある。
【０００３】
従来、原稿台の幅方向における両側に複数の検知センサを配置した装置が提案されている。この装置では、検知センサの発光部から略水平方向に出射された光が原稿によって遮蔽されることにより、綴じ原稿が給送された時の特徴的な浮きを検知する（特許文献１参照）。
【０００４】
綴じ原稿がＡＤＦによって給送される際には、ＡＤＦに設けられたピックアップローラによって綴じ原稿の最上位の原稿のみが給送される。しかしながら、最上位の原稿はステープル等で綴じられているため、ピックアップローラで給送されることにより最上位の原稿は上方に浮き上がってくる。原稿の浮き上がり量は、各検知センサから照射された光が原稿の浮きによって遮蔽され、反射光を検知できない各検知センサの受光部の数によって検知される。原稿の浮き上がり量が所定の高さ以上になったことを検知すると、ＡＤＦは停止して綴じ原稿の給送が中断される。
【先行技術文献】
【特許文献】
【０００５】
【特許文献１】特開２００８−７２８０号公報
【発明の概要】
【発明が解決しようとする課題】
【０００６】
上記特許文献１に記載の装置は、原稿の浮き上がり量で検知を行う。よって、綴じ原稿では無く折れ原稿等が給送された時、折れの高さが所定以上であった場合には誤検知してしまう虞がある。また、誤検知を避けるために浮き上がり量の閾値を大きくすると、綴じ原稿を検知出来なくなったり、検知まで時間がかかり原稿の破損が生じたりする虞がある。
【０００７】
そこで、綴じ原稿を精度よく検知することが出来る原稿給送装置を提供する事を目的とする。
【課題を解決するための手段】
【０００８】
本発明の原稿給送装置は、原稿が積載される原稿積載部と、前記原稿積載部に積載された原稿を画像読取位置へ給送する給送動作を行う原稿給送部と、前記原稿給送部が前記給送動作を行っているときに該原稿の浮きが原稿の給送方向における下流側から上流側へ移動することを検知できる検知部と、前記給送方向における下流側から上流側へ該浮きが移動したことを前記検知部が検知したことに基づいて前記給送動作を停止させる制御手段と、を有することを特徴とする。
【発明の効果】
【０００９】
本発明によれば、原稿給送装置は、折れ原稿を綴じ原稿であると誤検知することが少なくできる。
【図面の簡単な説明】
【００１０】
【図１】第１の実施の形態に係る概念図であって、（ａ）はプリンタを示す全体概略図であり（ｂ）は画像形成エンジンの模式図である。
【図２】第１の実施の形態における給送部の側面図。
【図３】第１の実施の形態における浮き進行方向判断部の構成図。
【図４】第１の実施の形態における浮き進行方向判断部の説明図であって、（ａ）は通常状態、（ｂ）はレバーＳ１１が上流側へ移動した場合、（ｃ）はレバーＳ１１が下流側へ移動した場合、（ｄ）は給送開始時にレバーＳ１１が倒れている場合を示す。
【図５】原稿の浮きの発生を説明する説明図。
【図６】第１の実施の形態に係る制御ブロック図。
【図７】第１の実施の形態に係る動作を示すフローチャート。
【図８】第１の実施の形態における折れ原稿が給送された時の給送を時系列順に示した図であって、（ａ）は給送開始時、（ｂ）は図８（ａ）の所定時間後、（ｃ）は図８（ｂ）の所定時間後、（ｄ）は図８（ｃ）の所定時間後を示す、
【図９】第１の実施の形態における綴じ原稿が給送された時の給送を時系列順に示した図であって、（ａ）は給送開始時、（ｂ）は図９（ａ）の所定時間後、（ｃ）は図９（ｂ）の所定時間後、（ｄ）は図９（ｃ）の所定時間後を示す。
【発明を実施するための形態】
【００１１】
本発明の第１の実施の形態について説明する。画像形成装置としてのプリンタ１００は、電子写真方式のレーザビームプリンタである。図１は画像形成装置の断面図であり、図１（ａ）はプリンタ全体概念図、図１（ｂ）は画像形成エンジンの模式図を示す。プリンタ１００は、図１（ａ）に示すように、プリンタ本体７０と、プリンタ本体７０の上部に装着される画像読取装置１０と、を備えている。なお、以下において、原稿とは、原稿であって、普通紙の他にも、コート紙等の特殊紙、封筒やインデックス紙等の特殊形状からなる記録材、及びオーバーヘッドプロジェクタ用のプラスチックフィルムや布などを含むものとする。
【００１２】
プリンタ本体７０は、その内部に画像形成エンジン６０を有している。画像形成エンジン６０は、図１（ｂ）に示すように、電子写真方式の画像形成手段としての画像形成ユニットと、定着装置７と、を備えている。画像形成動作の開始が指令されると、感光体である感光ドラム１が回転し、ドラム表面が帯電装置２によって一様に帯電される。すると、露光装置３が、画像読取装置１０又は外部のコンピュータから送信された画像データに基づいてレーザ光を変調して出力し、感光ドラム１の表面を走査して静電潜像を形成する。この静電潜像は、現像装置４から供給されるトナーによって可視化（現像）されてトナー像となる。
【００１３】
このような画像形成動作に並行して、不図示のカセット又は手差しトレイに積載されたシートを画像形成エンジン６０へ向けて給送する動作が実行される。給送されたシートは、画像形成ユニットＰＵによる画像形成動作の進行に合わせて搬送される。そして、感光ドラム１に担持されたトナー像は、転写ローラ５によってシートに転写される。トナー像転写後に感光ドラム１上に残ったトナーは、クリーニング装置６によって回収される。未定着のトナー像が転写されたシートは、定着装置７へと受け渡されて、ローラ対に挟持されて加熱及び加圧される。トナーがシートに対して溶融及び固着して画像が定着したシートは、排出ローラ対等の排出手段によって、排出される。
【００１４】
［画像読取装置］
次に、画像読取装置１０について詳述する。画像読取装置１０は、図１（ａ）に示すように、原稿積載部としての原稿トレイ２１に積載された原稿を給送し排出トレイ３２に排出するＡＤＦ２０と、ＡＤＦ２０によって搬送される原稿を読み取る読取ユニット４０と、を備えている。原稿給送装置としてのＡＤＦ２０（Ａｕｔｏ  Ｄｏｃｕｍｅｎｔ  Ｆｅｅｄｅｒ）は、原稿台ガラス４１が開放可能となるように、ヒンジによって読取ユニット４０に対して回動可能に支持されている。なお、シート状である原稿Ｄは、白紙でも、片面又は両面に画像が形成されていてもよい。
【００１５】
ＡＤＦ２０は、給送手段としてのピックアップローラ２２と、分離駆動ローラ２３及び分離従動ローラ２４と、レジストレーションローラ対２５と、搬送ローラ対２６，３０と、排出ローラ対３１と、を有している。また、ＡＤＦ２０は、原稿トレイ２１上の原稿Ｄを検知する原稿有無センサＳ２１と、原稿給送方向において分離駆動ローラ２３の下流に配置され原稿Ｄを検知する分離後センサＳ２２と、浮き進行方向判断部Ｓ１と、を有している。
【００１６】
読取ユニット４０は、プラテンガラス２８と、ジャンプ台２９と、基準白板４２と、原稿台ガラス４１と、第１ミラー台４３と、第２ミラー台４４と、レンズ４５と、ＣＣＤラインセンサ４６と、を有している。第１ミラー台４３の内部には、ランプ４７と、ミラー４８と、が配置されており、第２ミラー台４４の内部には、ミラー４９，５０が配置されている。第１ミラー台４３及び第２ミラー台４４は、不図示のワイヤ及び駆動モータによって図内左右方向である副走査方向に移動可能に構成されている。
【００１７】
画像読取装置１０は、原稿トレイ２１に積載された原稿ＤをＡＤＦ２０により給送しながら原稿画像を走査する流し読みモードと、原稿台ガラス４１に載置された原稿を走査する固定読みモードと、により、原稿Ｄから画像情報を読み取る。流し読みモードは、原稿トレイ２１に積載された原稿Ｄを原稿有無センサＳ２１が検出した場合、又はプリンタ本体７０の操作パネル等によってユーザが明示的に指示した場合に選択される。
【００１８】
流し読みモードが実行されると、不図示のアームに支持されたピックアップローラ２２が下降し、原稿トレイ２１上の最上位の原稿Ｄに当接する。そして、原稿Ｄは、ピックアップローラ２２によって給送され、分離駆動ローラ２３及び分離従動ローラ２４によって形成される分離手段としての分離ニップＮにおいて１枚ずつに分離される。分離駆動ローラ２３は、分離従動ローラ２４より僅かに摩擦が少ないゴム材等から形成されている。分離従動ローラ２４への駆動伝達経路には、トルクリミッタが配置されており、分離従動ローラ２４は、給送された原稿が１枚の時には分離駆動ローラ２３に連れ回り、給送された原稿が２枚以上の時には回転しない。このため、原稿を１枚ずつ分離することができる。なお、分離従動ローラ２４に原稿給送方向とは反対方向の駆動を入力してもよい。
【００１９】
分離ニップＮを通過した原稿の先端及び後端は、分離後センサＳ２２によって検知され、ピックアップローラ２２の昇降タイミングや駆動開始及び駆動停止タイミング、並びにレジストレーションローラ対２５の駆動開始及び駆動停止タイミングの基準となる。
【００２０】
搬送される原稿Ｄの先端は、停止状態のレジストレーションローラ対２５に突き当たり、原稿Ｄの斜行が補正される。斜行が補正された原稿Ｄは、レジストレーションローラ対２５によって搬送され、搬送ローラ対２６によってプラテンガラス２８に向けて搬送される。画像読取位置に設けられたプラテンガラス２８に対向してプラテンガイドローラ２７が配置されている。プラテンガイドローラ２７は、プラテンガラス２８を通過する原稿Ｄがプラテンガラス２８から浮かないように案内している。
【００２１】
そして、原稿Ｄの表面の画像がプラテンガラス２８を介して読取ユニット４０によって読み取られる。具体的には、搬送中の原稿Ｄに対してランプ４７の光が照射され、原稿Ｄからの反射光がミラー４８，４９，５０を介してレンズ４５に導かれる。そして、レンズ４５を通過した光は、ＣＣＤラインセンサ４６の受光部に結像され、光電変換されてＣＰＵ８１に画像情報が送信される。なお、基準白板４２は、原稿Ｄの読取輝度の基準となる。プラテンガラス２８を通過した原稿Ｄは、ジャンプ台２９によって搬送ローラ対３０に導かれ、排出ローラ対３１によって排出トレイ３２に排出される。
【００２２】
一方、固定読みモードは、原稿台ガラス４１に載置された原稿Ｄを装置が検出した場合又はプリンタ１００の操作パネル等によってユーザが明示的に指示した場合に選択される。この場合、原稿台ガラス４１上の原稿Ｄは動くことなく、第１ミラー台４３及び第２ミラー台４４が原稿台ガラス４１に沿って移動する。そして、ランプ４７が照射する光によって原稿Ｄを走査する。ＣＣＤラインセンサ４６の受光素子によって光電変換された画像情報は、ＣＰＵ８１へと転送される。
【００２３】
［浮き進行方向判断部］
図２に給送部の側面図を示す。検知部としての浮き進行方向判断部Ｓ１は、図２に示すように、ＡＤＦ２０のフレーム３３に設けられている。
【００２４】
ここで、浮き進行方向判断部Ｓ１の説明を行う。図３に浮き進行方向判断部Ｓ１の構成を示す。図３に示すように、浮き進行方向判断部Ｓ１は、移動部材としてのレバーＳ１１とレバーＳ１１の回転軸Ｓ１２とを備える。レバーＳ１１は積載された原稿の上方に配置される。レバーＳ１１はピックアップローラ２２と原稿の給送方向に交差する原稿幅方向において異なる位置に配置されている。移動部材（回転部材）であるレバーＳ１１と回転軸Ｓ１２とは一体的に回転する。浮き進行方向判断部Ｓ１は、レバーＳ１１の回転に伴って回転軸Ｓ１２を中心に回転しフォトインタラプタを遮光する遮光部Ｓ１３と、フォトインタラプタＳ１４及びフォトインタラプタＳ１５と、をさらに有している。
【００２５】
図４に浮き進行方向判断部Ｓ１の説明図示す。図４（ａ）はレバーＳ１１が通常位置にある状態、図４（ｂ）はレバーＳ１１が給送方向上流側へ移動した状態。図４（ｃ）はレバーＳ１１が給送方向下流側へ移動した状態、をそれぞれ示す。図４（ａ）に示すように、通常時レバーＳ１１は遮光部Ｓ１３がフォトインタラプタＳ１４及びフォトインタラプタＳ１５どちらも遮光しない位置にある。図４（ａ）の通常位置から、レバーＳ１１は時計回りの方向およびその反対の反時計回りの方向の両方に回転できるように構成されている。
【００２６】
図４（ｂ）に示すように、レバーＳ１１が給送方向上流側へ移動すると、回転軸Ｓ１２を中心に反時計回りの方向に回転する。レバーＳ１１が給送方向上流側へ移動する方向の回転軸Ｓ１２の回転に伴い遮光部Ｓ１３は、フォトインタラプタＳ１５を遮光し、フォトインタラプタＳ１５はＯＮとなる。
【００２７】
図４（ｃ）に示すように、レバーＳ１１が給送方向下流側へ移動すると、回転軸Ｓ１２を中心に時計回り方向に回転する。レバーＳ１１が給送方向上流側へ移動する方向の回転軸Ｓ１２の回転に伴い遮光部Ｓ１３はフォトインタラプタＳ１４を遮光し、フォトインタラプタＳ１４はＯＮとなる。図４（ｄ）に示すように、原稿Ｄに浮きがある場合、レバーＳ１１を移動させる。
【００２８】
［綴じ原稿の浮き上がり］
ここで、ステープルされた原稿や糊付けされた原稿等の、所謂「綴じ原稿」が給送された際に原稿が浮く原理について説明する。なお、本実施の形態における「綴じ原稿」は、針綴じや糊付けされた原稿に限らず、針なし綴じや製本された原稿でもよい。また、複数枚のページを有する原稿束に限らず、１枚の原稿を高さ方向に重なるように折った原稿でも良い。
【００２９】
図５に綴じ原稿に浮きが発生することを説明する説明図を示す。図５に示すように、第１の原稿としての１枚目Ｄ１と第２の原稿としての２枚目Ｄ２の先端の角がステープルＳＴによって繋がっている原稿束としての原稿Ｄが給送される場合を考える。原稿Ｄがピックアップローラ２２によって給送されると、原稿Ｄは分離ニップＮによって突き当たり停止する。
【００３０】
ピックアップローラ２２は、原稿Ｄの１枚目Ｄ１の上面に当接しており、原稿Ｄの先端が分離ニップＮで停止している状態でも、１枚目Ｄ１に給送力を付与する。しかしながら、１枚目Ｄ１は、停止した状態の２枚目Ｄ２にステープルＳＴによって繋がっているため、ピックアップローラ２２が１枚目Ｄ１を給送するにつれて、ステープルＳＴの近傍を起点にして浮き上がってくる。
【００３１】
このように、綴じ原稿がピックアップローラ２２によって給送されると、原稿Ｄに特徴的な浮きが形成される。
【００３２】
［制御ブロック］
図６は、制御手段としてのＣＰＵ８１の制御ブロック図である。ＣＰＵ８１の入力側には、図６に示すように、浮き進行方向判断部Ｓ１、原稿有無センサＳ２１及び分離後センサＳ２２が接続されている。ＣＰＵ８１の出力側には、モータ制御部８３を介して、ピックアップモータ８４及び分離駆動モータ８５が接続されている。ピックアップモータ８４は、ピックアップローラ２２を駆動し、分離駆動モータ８５は、分離駆動ローラ２３を駆動する。
【００３３】
また、ＣＰＵ８１には、操作部５０６が接続されており、操作部５０６は、例えば操作パネルを有しており、コピージョブの開始や各種設定を行うことができる。
【００３４】
［綴じ原稿検知］
次に、綴じ原稿が給送される場合のコピー動作についてフローチャートに沿って説明する。図７に第１の実施の形態に係る原稿が給送される際のコピー動作を示すフローチャートを示す。また、詳細な説明の為に、折れ原稿が給送されたときの幅方向から見た図を図８に示し、説明を行う。図８（ａ）、図８（ｂ）、図８（ｃ）、図８（ｄ）は折れ原稿が給送された時の状況を時系列に表している。図８（ａ）→図８（ｂ）→図８（ｃ）→図８（ｄ）の順番に遷移していく。図８（ａ）は給送開始時、図８（ｂ）は図８（ａ）から所定時間後、図８（ｃ）は図８（ｂ）から所定時間後、図８（ｄ）は図８（ｃ）から所定時間後を示す。
【００３５】
同様に、綴じ原稿を給送した時の幅方向から見た図を図９に示し、説明を行う。図９（ａ）、図９（ｂ）、図９（ｃ）、図９（ｄ）は綴じ原稿が給送された時の状況を時系列に表している。図９（ａ）→図９（ｂ）→図９（ｃ）→図９（ｄ）の順番に遷移していく。図９（ａ）は給送開始時、図９（ｂ）は図９（ａ）から所定時間後、図９（ｃ）は図９（ｂ）から所定時間後、図９（ｄ）は図９（ｃ）から所定時間後を示す。
【００３６】
まず、ＣＰＵ８１は原稿有無センサＳ２１によって原稿トレイ２１に原稿が積載されているか判断する（ステップＳ１０１）。原稿トレイ２１に原稿が積載されていない場合（ステップＳ１０１：Ｎｏ）には、ＣＰＵ８１は次の処理に進まず、原稿トレイ２１に原稿が積載されるまで待機する。
【００３７】
原稿トレイ２１に原稿が積載されていると判断された場合（ステップＳ１０１：Ｙｅｓ）、ＣＰＵ８１は、コピージョブの開始が指示されたかどうかを判断する（ステップＳ１０２）。操作部５０６からコピージョブの開始が指示されていない場合（ステップＳ１０２：Ｎｏ）には、ＣＰＵ８１は次の処理に進まず、コピージョブの開始が指示されるまで待機する。コピージョブの開始が指示されたと判断された場合（ステップＳ１０２：Ｙｅｓ）、ステップＳ１０３で給送動作を開始する。ここでの給送動作とは、原稿給送部を構成するピックアップローラ２２が最上位の原稿に接するように下降した原稿を給送のためにピックアップローラ２２が回転し、且つ、分離従動ローラ２４との協働で原稿を一枚だけ給送するために分離駆動ローラ２３が回転する動作である。
【００３８】
ステップＳ１０４に於いて給送動作の開始時にＣＰＵ８１は浮き進行方向判断部Ｓ１のフォトインタラプタＳ１４がＯＦＦかつＳ１５がＯＦＦであるか判断する。ここで、フォトインタラプタＳ１４とフォトインタラプタＳ１５どちらもＯＦＦの場合、浮き進行方向判断部Ｓ１のレバーＳ１１は図４（ａ）の様に通常時の位置にあると判断出来る（ステップＳ１０４：Ｙｅｓ）。この場合は、ステップＳ１０４へ移行し、浮き進行方向判断部Ｓ１のレバーＳ１１が給送方向上流側へ移動するか判断する。対して、給送動作の開始時にフォトインタラプタＳ１４もしくはフォトインタラプタＳ１５のどちらかがＯＮである場合（ステップＳ１０４：Ｎｏ）には、Ｓ１０５へ移行する。この場合は、給送動作の開始時点で図４（ｄ）の様に、原稿が積載された時点で原稿Ｄの折れ等によってレバーＳ１１が移動されている状態である。この場合、浮きの進行方向が正しく判断出来ないので、在給送している原稿では綴じ原稿であるかの判断は行わず、ステップＳ１０５へ移行する。ステップＳ１０５では現在給送している原稿が分離後センサＳ２２を通過したか判断する。通過していない場合（ステップＳ１０５：Ｎｏ）、もう一度ステップＳ１０５へ戻り、分離後センサＳ２２を通過した場合（ステップＳ１０６：Ｙｅｓ）、ステップＳ１０６へ移行し、最終原稿であったか判断する。最終原稿であった場合（ステップＳ１０６：Ｙｅｓ）、ステップＳ１１１へ移行し、モータを停止させて終了する。最終原稿でない場合（ステップＳ１０６：Ｎｏ）、ステップＳ１０３へ戻り、次原稿の給送を行う。
【００３９】
ステップＳ１０７ではフォトインタラプタＳ１４がＯＮになったかを判断する。ここで、フォトインタラプタＳ１４がＯＮになる場合は、折れ原稿が給送された場合である。これを、図８を用いて説明する。まず、図８（ａ）の様に折れた原稿Ｄが積載され給送が開始される。次に、給送が進んでいくと図８（ｂ）の様に折れた原稿Ｄの山の部分は給送方向下流側に進んでいく。そして、図８（ｃ）の様に折れた原稿Ｄの山の部分が浮き進行方向判断部Ｓ１のレバーＳ１１に触れる。さらに給送が進むと、図８（ｄ）の様に折れた原稿Ｄの山の部分は浮き進行方向判断部Ｓ１のレバーＳ１１を押していきながら給送方向下流側に進む。そして、レバーＳ１１が原稿の浮きに押されることで、遮光部Ｓ１３がフォトインタラプタＳ１４を遮光しフォトインタラプタＳ１４がＯＮとなる。このように、原稿に折れがある場合、折れの山の部分（浮き部分）は給送方向の下流側に進んでいく。つまり、ステップＳ１０７でフォトインタラプタＳ１４がＯＮになったと判断した場合（ステップＳ１０７：Ｙｅｓ）、給送された原稿は折れ原稿であると判断してステップＳ１０８へ移行する。ステップＳ１０８ではステップ現在給送している原稿が分離後センサＳ２２を通過したか判断する。原稿が分離後センサＳ２２を通過していない場合（ステップＳ１０８：Ｎｏ）、もう一度ステップＳ１０７へ戻りフォトインタラプタＳ１４がＯＮになったかの判断を行う。そして、分離後センサＳ２２を通過した場合（ステップＳ１０８：Ｙｅｓ）、ステップＳ１０９へ移行し最終原稿であったか判断する。最終原稿であった場合（ステップＳ１０９：Ｙｅｓ）、ステップＳ１１１へ移行し、モータを停止させて終了する。最終原稿でない場合（ステップＳ１０９：Ｎｏ）、ステップＳ１０３へ戻り、次原稿の給送を行う。以上述べたように、給送方向の下流へ移動する原稿の浮き部分に押されたことによるレバーＳ１１の回転を、検知部を構成するフォトインタラプタＳ１４が検知した場合には、給送動作は継続される。
【００４０】
ステップＳ１０７でフォトインタラプタＳ１４がＯＮにならなかった場合（ステップＳ１０７：Ｎｏ）、ステップＳ１１０へ移行する。ステップＳ１１０ではフォトインタラプタＳ１５がＯＮになったかを判断する。ここで、フォトインタラプタＳ１５がＯＮになる場合は、綴じ原稿が給送された場合である。これを、図９を用いて説明する。まず、図９（ａ）の様にステープルＳＴで綴じられた原稿１枚目Ｄ１と２枚目Ｄ２が積載され、給送が開始される。図９（ｂ）の様に綴じられた原稿１枚目Ｄ１と２枚目Ｄ２にステープルＳＴによって繋がっている。したがって、給送が進んでいくとピックアップローラ２２が１枚目Ｄ１を給送するにつれて、１枚目Ｄ１はステープルＳＴの近傍を起点にして浮き上がってくる。そして、さらに給送が進むと、１枚目Ｄ１はさらに進められるため、押込められた１枚目Ｄ１の分だけ浮き上がりが大きくなる。さらに、給送動作が進むと、図９（ｄ）の様に、フレーム３３の上面を添うように浮き上がった部分（浮き部分）が、レバーＳ１１を給送方向上流側へと押していく。レバーＳ１１が給送方向上流側へ押されることで、遮光部Ｓ１３がフォトインタラプタＳ１５を遮光しフォトインタラプタＳ１５がＯＮとなる。このように、綴じ原稿の場合、発生した浮きは給送方向上流側に進んでいく。つまり、ステップＳ１１０でフォトインタラプタＳ１５がＯＮになったと判断した場合（ステップＳ１１０：Ｙｅｓ）、ＣＰＵ８１は給送された原稿は綴じ原稿であると判断する。そして、ステップＳ１１１へ移行し、モータを停止させて給送動作を停止（終了）する。以上述べたように、給送方向の上流側へ移動する原稿の浮き部分に押されたことによるレバーＳ１１の回転を、検知部を構成するフォトインタラプタＳ１５が検知した場合には、給送動作は停止される。
【００４１】
ステップＳ１１０でフォトインタラプタＳ１５がＯＮにならなかった場合（ステップＳ１１０：Ｎｏ）、ステップＳ１０８へ移行する。ステップＳ１０８ではステップ現在給送している原稿が分離後センサＳ２２を通過したか判断する。通過していない場合（ステップＳ１０８：Ｎｏ）、もう一度ステップＳ１０７へ戻りフォトインタラプタＳ１４がＯＮになったかの判断を行う。分離後センサＳ２２を通過した場合（ステップＳ１０８：Ｙｅｓ）、ステップＳ１０９へ移行し、最終原稿であったか判断する。最終原稿であった場合（ステップＳ１０９：Ｙｅｓ）、ステップＳ１１１へ移行し、モータを停止させて終了する。最終原稿でない場合（ステップＳ１０９：Ｎｏ）、ステップＳ１０３へ戻り、次原稿の給送を行う。
【符号の説明】
【００４２】
２０  原稿給送装置（ＡＤＦ）
２１ａ  積載面
２２  ピックアップローラ
Ｓ１  浮き進行方向判断部
Ｓ１１  レバー
Ｓ１２  回転軸
Ｓ１３  遮光部
Ｓ１４  フォトインタラプタ
Ｓ１５  フォトインタラプタ
【図１】
2020090388.tif 000003
【図２】
2020090388.tif 000004
【図３】
2020090388.tif 000005
【図４】
2020090388.tif 000006
【図５】
2020090388.tif 000007
【図６】
2020090388.tif 000008
【図７】
2020090388.tif 000009
【図８】
2020090388.tif 000010
【図９】
2020090388.tif 000011